(57)【特許請求の範囲】
【請求項１】
コンタクトガラス上に載置された原稿を圧板により加圧し、原稿画像面を走査して画像を読み取るスキャナ装置の装置本体に配置され、前記圧板を、前記コンタクトガラス上の原稿を加圧する閉鎖位置乃至コンタクトガラス上の原稿から離間する開放位置で揺動可能に支持した圧板開閉機構において、
前記圧板を前記閉鎖位置乃至前記開放位置で揺動可能に支持するとともに、閉鎖位置ではコンタクトガラスの原稿載置面と圧板の原稿加圧面とが接離可能になるように装置本体と圧板とを連結したヒンジレバーと、
一端部が装置本体に揺動可能に連結するとともに、他端部に設けられた摺動ピンが前記圧板に形成されたスライド溝に摺動可能に係合し、前記摺動ピンが前記スライド溝の一端に当接して開放時における圧板の最大開度を規定するストッパレバーと、
前記圧板に固定されて、圧板を最大開度にまで開放した際に前記スライド溝の一端と共に前記摺動ピンに当接して摺動ピンから直接的な衝撃力及び加圧力を受ける溝端補強部、及び前記スライド溝の一端に作用した摺動ピンからの衝撃力及び加圧力により生じる前記圧板の変形を抑制するように圧板上面に面接触した変形抑制部から成る補強部材とを備えたことを特徴とするスキャナ装置の圧板開閉機構。
【請求項２】
前記圧板における前記補強部材の取付部を、圧板におけるスライド溝付近の板厚より肉厚としたことを特徴とする請求項１記載のスキャナ装置の圧板開閉機構。
【発明の詳細な説明】
【０００１】
【発明の属する技術分野】
本発明は、コンタクトガラス上に載置された原稿を圧板により加圧し、原稿画像面を走査して画像を読み取るスキャナ装置に適用され、圧板をコンタクトガラスに対して揺動可能に支持した圧板開閉機構に関するものである。
【０００２】
【従来の技術】
図３乃至図５は、それぞれスキャナ装置に用いられる従来の圧板開閉機構の側面図、図６は従来の圧板開閉機構における圧板及びストッパレバーの分解斜視図である。ここで、図３は圧板が最大開度まで開放した状態を示しており、図４及び図５は、それぞれ圧板がコンタクトガラス上の原稿を加圧する加圧位置に保持されている状態を示している。１はブックタイプスキャナとして構成されたスキャナ装置の装置本体、２は装置本体１上面に嵌め込まれたコンタクトガラスであり、コンタクトガラス２上には画像が読み取られる原稿Ｄが載置される。３はスキャナ装置による画像読取時に原稿Ｄをコンタクトガラス２に密着させる圧板であり、後述する圧板開閉機構によって閉鎖位置乃至開放位置で揺動可能に支持されている。圧板３は、コンタクトガラス２上の原稿Ｄから離間した開放位置から図４又は図５に示す閉鎖位置に揺動することにより、原稿Ｄを加圧して原稿Ｄの画像面をコンタクトガラス２の原稿載置面２aに密着させる。
【０００３】
11は装置本体１と圧板３とを連結したヒンジレバーであり、このヒンジレバー11は一端部が装置本体１に設けられた揺動軸１aにより軸支されるとともに、他端部が圧板３に設けられた揺動軸３aにより軸支されている。ここで、圧板３は、ヒンジレバー11と共に揺動軸１aにより閉鎖位置乃至開放位置で揺動可能に支持されており、さらにヒンジレバー11を揺動軸１a及び揺動軸３aに対してそれぞれ逆方向に揺動させることにより、圧板３の原稿加圧面とコンタクトガラス２の原稿載置面２aとの離間距離を調整することができる。従って、コンタクトガラス２上に載置された原稿Ｄの厚さに応じて圧板３と原稿載置面２aとの離間距離を調整することにより、原稿Ｄの厚さに影響されることなく、閉鎖位置にある圧板３とコンタクトガラス２の原稿載置面２aとを平行にして原稿Ｄ全体を原稿載置面２aに密着させることが可能になる。
【０００４】
12は圧板３と装置本体１とを連結したストッパレバーであり、ヒンジレバー11と共に圧板開閉機構を構成したストッパレバー12は、一端部に設けられた連結軸12aが装置本体１により揺動可能に支持されるとともに、他端部に植設された摺動ピン12bが圧板３に穿設されたスライド溝３bに摺動可能に係合している。ここで、ストッパレバー12は、圧板３の開放時に摺動ピン12bをスライド溝３bにおいて揺動軸３aに近接した溝端３cに当接させることにより、圧板３の最大開度を規定するとともに、最大開度の開放位置(以下、この位置を全開位置という)にある圧板３が倒れないように支持する。
【０００５】
【発明が解決しようとする課題】
しかしながら、上記のような圧板開閉機構では、圧板３を全開位置に開放する度に摺動ピン12bがスライド溝３bの一方の溝端３cに当接し、さらに圧板３をストッパレバー12により全開位置に支持した状態では、摺動ピン12bが圧板３の重量に応じた加圧力で溝端３cを加圧することになる。特に、ユーザが圧板３を強い力(高速)で全開位置にまで揺動させた場合には、摺動ピン12bによりスライド溝３bの溝端３cには大きな衝撃力が作用する。
【０００６】
圧板３は、一般的に溶融状態の樹脂をモールドに流し込んで成型(モールド成型)したものであり、軽量化及びコスト低減のため、薄板状に形成された樹脂材料により大部分が構成されている。この場合、圧板３全体としては、リブ形状を適宜形成したり、高荷重が作用する部分を箱状構造とすることにより、十分な強度を確保することが可能であるが、局部的に作用する外力に対する圧板３の強度は樹脂材料の肉厚によりほとんど規定されてしまう。従って、摺動ピン12bによる衝撃力の繰り返し加重及び加圧力が多数回又は長期的に溝端３cに作用することにより、圧板３には、図７に示すように溝端３cを起点としたクラックＣが発生しやすくなる。摺動ピン12bにより溝端３cに作用する力は、主としてスライド溝３bの延長方向の分力Ｐ１、及び揺動軸１aを中心とする開放方向の分力Ｐ２が合成されたものであるから、圧板３においてクラックＣは、多くの場合、分力Ｐ１及びＰ２の合成方向、すなわち溝端３cから揺動軸１aの方向に対して開放方向に傾斜した方向に発生する。
【０００７】
本発明の目的は、上記の問題を解決するため、全開位置への開放動作の繰り返しにより生じる圧板のクラックを防止できるスキャナ装置の圧板開閉機構を提供することにある。
【０００８】
【課題を解決するための手段】
上記の課題を解決するため、本発明の請求項１記載のスキャナ装置の圧板開閉機構は、コンタクトガラス上に載置された原稿を圧板により加圧し、原稿画像面を走査して画像を読み取るスキャナ装置の装置本体に配置され、前記圧板を、前記コンタクトガラス上の原稿を加圧する閉鎖位置乃至コンタクトガラス上の原稿から離間する開放位置で揺動可能に支持した圧板開閉機構において、前記圧板を前記閉鎖位置乃至前記開放位置で揺動可能に支持するとともに、閉鎖位置ではコンタクトガラスの原稿載置面と圧板の原稿加圧面とが接離可能になるように装置本体と圧板とを連結したヒンジレバーと、一端部が装置本体に揺動可能に連結するとともに、他端部に設けられた摺動ピンが前記圧板に形成されたスライド溝に摺動可能に係合し、前記摺動ピンが前記スライド溝の一端に当接して開放時における圧板の最大開度を規定するストッパレバーと、前記圧板に固定されて、圧板を最大開度にまで開放した際に前記スライド溝の一端と共に前記摺動ピンに当接して摺動ピンから直接的な衝撃力及び加圧力を受ける溝端補強部、及び前記スライド溝の一端に作用した摺動ピンからの衝撃力及び加圧力により生じる前記圧板の変形を抑制するように圧板上面に面接触した変形抑制部から成る補強部材とを備えたことを特徴とする。
【０００９】
そして、請求項１記載のスキャナ装置の圧板開閉機構によれば、圧板に固定された補強部材が、圧板を最大開度にまで開放した際にスライド溝の一端と共に摺動ピンに当接して摺動ピンから直接的な衝撃力及び加圧力を受ける溝端補強部、及びスライド溝の一端に作用した摺動ピンからの衝撃力及び加圧力により生じる圧板の変形を抑制するように圧板上面に面接触した変形抑制部から成る補強部材を備えたことにより、溝端補強部によってスライド溝の一端に直接的に作用する衝撃力及び加圧力が緩和され、かつ変形抑制部によって圧板の変形に伴う内部応力が緩和される。
【００１０】
また、請求項２記載のスキャナ装置の圧板開閉機構は、請求項１記載の圧板開閉機構において、前記圧板における前記補強部材の取付部を、圧板におけるスライド溝付近の板厚より肉厚としたことを特徴とする。
【００１１】
そして、請求項２記載のスキャナ装置の圧板開閉機構によれば、圧板における補強部材の取付部を、圧板におけるスライド溝付近の板厚より肉厚としたことにより、補強部材の取付強度を十分大きなものにするとともに、補強部材から圧板に伝達される衝撃力及び加圧力を分散して取付部付近が衝撃力及び加圧力によって破壊することが防止される。
【００１２】
【発明の実施の形態】
以下、本発明の実施の形態について図面を参照しながら説明する。
【００１３】
図１は本発明の実施の形態によるスキャナ装置の圧板開閉機構の側面図、図２は本実施形態のスキャナ装置の圧板開閉機構に用いられる圧板及び補強板の斜視図であり、図３乃至図５に基づいて説明した部材に対応する部材については同一符号を付して説明を省略する。21はスキャナ装置による画像読取時に原稿Ｄをコンタクトガラス２に密着させる圧板であり、圧板開閉機構によって従来の圧板３と同様に閉鎖位置乃至全開位置で揺動可能に支持されている。圧板21は、コンタクトガラス２上の原稿Ｄから離間した開放位置から図１に示す閉鎖位置に揺動することにより、原稿Ｄを加圧して原稿Ｄの画像面をコンタクトガラス２の原稿載置面２aに密着させる。22は圧板21における所定の位置に固定された補強板である。この補強板22には、スライド溝３bの溝端３cを形成した曲面と略同一形状の先端面を有する溝端補強部22a、及びアングル形に屈曲した変形抑制部22bが設けられており、溝端補強部22aと変形抑制部22bとの連結部22cには固定ネジ23を挿通するための挿通孔が穿設されている。
【００１４】
また、圧板21の側板部分は薄板状に形成されており、この圧板21の側板部分には、スライド溝３bが穿設されるとともに、ネジ孔を有した取付部21aが圧板21の側板部分と一体的に形成されている。円柱ボス状の取付部21aは、圧板21においてスライド溝３b付近より肉厚に形成されており、補強板22の取付強度を十分大きなものにするとともに、補強板22から圧板21に伝達される衝撃力及び加圧力を分散して取付部21a付近が衝撃力及び加圧力により破壊することを防止する。
【００１５】
固定ネジ23を連結部22cの挿通孔に挿通するとともに、取付部21aのネジ孔に螺着することにより、補強板22が固定ネジ23によって圧板21に締結固定される。この際、補強板22の溝端補強部22aは、その先端面がスライド溝３bの溝端３cと同一位置になるように支持され、変形抑制部22bは、圧板21の上面に加圧状態で面接触するように支持される。従って、溝端補強部22aは、圧板21の全開時にスライド溝３bの溝端３cと共に摺動ピン12bに当接して摺動ピン12bからの直接的な衝撃力及び加圧力の一部を受け、また変形抑制部22bは、摺動ピン12bからの衝撃力及び加圧力により変形しようとする圧板21を変形方向とは逆方向に加圧し、圧板21の変形を抑制する。
【００１６】
以上説明した本実施形態によるスキャナ装置の圧板開閉機構によれば、圧板21に固定された補強板22が、圧板21を最大開度にまで開放した際にスライド溝３bの溝端３cと共に摺動ピン12bからの衝撃力及び加圧力の一部を受けることにより、圧板21を最大開度にまで開放した際にスライド溝３bの溝端３cに作用する摺動ピン12bからの衝撃力及び加圧力が低下するので、圧板21を全開位置に開放する動作を多数回繰り返し、また圧板21を長期的に全開位置に保持した場合でも、圧板21にスライド溝３bの溝端３c付近を起点としたクラックが発生することを抑制できる。
【００１７】
そして、補強板22は、圧板21を最大開度まで開放した際にスライド溝３bの溝端３cと共に摺動ピン12bに当接して摺動ピン12bから直接的な衝撃力及び加圧力を受ける溝端補強部22aと、スライド溝３bの溝端３cに作用した摺動ピン12bからの衝撃力及び加圧力により生じる圧板21の変形を抑制するように圧板21の上面に加圧状態で面接触した変形抑制部22bとから成り、溝端補強部2 2aによってスライド溝３bの溝端３cに直接的に作用する衝撃力が緩和され、かつ変形抑制部22bによって圧板21の変形に伴う内部応力が緩和されるので、圧板21にスライド溝３bの溝端３c付近を起点としたクラックが発生することを効果的に抑制することができる。
【００１８】
さらに、圧板21における補強板22の取付部21aを、圧板21におけるスライド溝３b付近の板厚より肉厚としたことにより、補強板22の取付強度を十分大きなものにするとともに、補強板22から圧板21に伝達される衝撃力及び加圧力を分散して取付部21a付近が衝撃力及び加圧力によって破壊することが防止されるので、補強板22によって圧板21に対する衝撃力及び加圧力を低下させる機能を長期的に安定して維持することができ、かつ取付部21aに集中する応力によって圧板21が破壊することを防止できる。
【００１９】
【発明の効果】
以上説明したように、本発明の請求項１記載のスキャナ装置の圧板開閉機構によれば、圧板に固定された補強部材が、圧板を最大開度にまで開放した際にスライド溝の一端と共に摺動ピンに当接して摺動ピンから直接的な衝撃力及び加圧力を受ける溝端補強部と、スライド溝の一端に作用した摺動ピンからの衝撃力及び加圧力により生じる圧板の変形を抑制するように圧板上面に面接触した変形抑制部とを備えたことにより、溝端補強部によってスライド溝の一端に直接的に作用する衝撃力及び加圧力が緩和され、かつ変形抑制部によって圧板の変形に伴う内部応力が緩和されるので、圧板を全開位置に開放する動作を多数回繰り返し、また圧板を長期的に全開位置に保持した場合でも、圧板にスライド溝の溝端を起点としたクラックが発生することを効果的に抑制することができる。
【００２０】
また、請求項２記載のスキャナ装置の圧板開閉機構によれば、圧板における補強部材の取付部を、圧板におけるスライド溝付近の板厚より肉厚としたことにより、補強部材の取付強度を十分大きなものにするとともに、補強部材から圧板に伝達される衝撃力及び加圧力を分散して取付部付近が衝撃力及び加圧力によって破壊することが防止されるので、補強部材によって圧板に対する衝撃力及び加圧力を低下させる機能を長期的に安定して維持することができ、かつ取付部に集中する応力によって圧板が破壊することを防止できる。
【図面の簡単な説明】
【図１】  本発明の実施の形態によるスキャナ装置の圧板開閉機構の側面図である。
【図２】  本発明の実施の形態によるスキャナ装置の圧板開閉機構に用いられる圧板及び補強板の斜視図である。
【図３】  スキャナ装置に用いられる従来の圧板開閉機構の側面図である。
【図４】  スキャナ装置に用いられる従来の圧板開閉機構の側面図である。
【図５】  スキャナ装置に用いられる従来の圧板開閉機構の側面図である。
【図６】  従来の圧板開閉機構における圧板及びストッパレバーの分解斜視図である。
【図７】  従来の圧板開閉機構における圧板に発生するクラックの説明図である。
【符号の説明】
１…装置本体、  １a，３a…揺動軸、  ２…コンタクトガラス、  ２a…原稿載置面、  ３，21…圧板、  ３b…スライド溝、  ３c…溝端、  11…ヒンジレバー、  12…ストッパレバー、  12a…連結軸、  12b…摺動ピン、  21a…取付部、  22…補強板、  22a…溝端補強部、  22b…変形抑制部、  22c…連結部、  23…固定ネジ、  Ｄ…原稿、  Ｃ…クラック。
【図１】
0003642376.tif 000002
【図２】
0003642376.tif 000003
【図３】
0003642376.tif 000004
【図４】
0003642376.tif 000005
【図５】
0003642376.tif 000006
【図６】
0003642376.tif 000007
【図７】
0003642376.tif 000008